(57)【要約】      （修正有）【課題】グリーティングカードやその他のプレゼント用或いは装飾用として使用することができ、プリンセスの形状の人形を平状に畳んだ状態から自立した立体形状にすることが可能であり、しかもその人形の身に着けているドレスが実物のドレスのように膨らんだ立体形状となるようにしたプリンセス立体カードを提供する。【解決手段】人形３の身体部３ａから足部３ｂに至る平板な本体の外形を足部の下辺に向けて広がるように形成すると共に、この足部の下辺の中央から上方の途中に至る切込線５ａを形成する一方、本体の切込線４ａにクロスした状態で差し込み可能な切込線を有する補助部材を設け、この補助部材の外形を上部から下辺に向けて広がるように形成し、ドレスの内部にて本体の切込線に補助部材の切込線を差し込んだ状態で畳むことによって人形全体を平状にする一方、本体に対して補助部材を交差状に展開することによって人形を自立可能にした。【選択図】図１
0003198863.tif 000002
【実用新案登録請求の範囲】
【請求項１】
ドレスを身に着けた形状の人形を平状に畳んだ状態から自立した立体形状にすることができるプリンセス立体カードであって、人形の身体部から足部に至る平板な本体の外形を足部の下辺に向けて広がるように形成すると共に、この足部の下辺の中央から上方の途中に至る切込線を形成する一方、本体の切込線にクロスした状態で差し込み可能な切込線を有する補助部材を設け、この補助部材の外形を上部から下辺に向けて広がるように形成し、ドレスの内部にて本体の足部の切込線に補助部材の切込線を差し込んだ状態で畳むことによって人形全体を平状にする一方、本体の足部に対して補助部材を交差状に展開することによって人形を自立可能にしたことを特徴とするプリンセス立体カード。
【請求項２】
人形の足部の両側と補助部材の両側を外側に膨れた湾曲状に形成すると共に、可撓性の素材で形成したドレスの上部を人形の腹部の周りで絞り込んだことによってドレスの周囲にひだ状の凹凸を形成し、このひだ状の凹凸が本体の足部と補助部材の湾曲状の外側部を係止することによって、これらの本体の足部と補助部材との交差状の展開形状を保持するようにしたことを特徴とするプリンセス立体カード。
【考案の詳細な説明】
【技術分野】
【０００１】
本考案は、プリンセスの形状の人形を平状に畳んだ状態から自立した立体形状にすることができるプリンセス立体カードに関する。
【背景技術】
【０００２】
従来から、クリスマスや新年などの年中行事、或いは誕生日等のプレゼント用品として、所謂「グリーティングカード」と称する贈呈用のカードが使用されている。また、このようなグリーティングカードには、季節や流行に応じたキャラクター等を利用した物品が添えられることがあり、女子の間では、プリンセスの形状をした人形に人気が集まっている。
【０００３】
このようなプリンセスの人形は、ドレスを身に着けている形状となるが、封筒等に入れる際、平状に畳むことが要求される。また、封筒等から取り出した際、このプリンセスの人形を自立した状態にし、身に着けているプリンセスのドレスが本物のドレスのように膨らんだ立体形状になるのであれば、商品価値の高い物品となる。
【０００４】
そこで、上記のように平状に畳むことができ、しかも自立した状態にすることができる人形として特許文献１を参照する。この文献には、ウエディングドレスを着た花嫁の人形を宴会用座席置として利用し、折り畳んだ足部を展開することによって自立した状態にすることができる花嫁の人形が記載されている。
【０００５】
しかしながら、上記の人形は、折り畳んだ足部を展開するだけの形状であって、人形が身に着けたドレスを膨らんだ立体形状にする構造は全く記載されてなく、リアリティのある意匠性に欠けるものであった。
【先行技術文献】
【特許文献】
【０００６】
【特許文献１】実開平４−６５３７９号公報
【考案の概要】
【考案が解決しようとする課題】
【０００７】
本考案は、上記のように、グリーティングカードやその他のプレゼント用或いは装飾用として使用することができ、プリンセスの形状の人形を平状に畳んだ状態から自立した立体形状にすることが可能であり、しかもその人形の身に着けているドレスが実物のドレスのように膨らんだ立体形状となるようにしたプリンセス立体カードを提供することを目的とする。
【課題を解決するための手段】
【０００８】
上記の目的を達成するために、本考案における請求項１のプリンセス立体カードは、ドレスを身に着けた形状の人形を平状に畳んだ状態から自立した立体形状にすることができるプリンセス立体カードであって、人形の身体部から足部に至る平板な本体の外形を足部の下辺に向けて広がるように形成すると共に、この足部の下辺の中央から上方の途中に至る切込線を形成する一方、本体の切込線にクロスした状態で差し込み可能な切込線を有する補助部材を設け、この補助部材の外形を上部から下辺に向けて広がるように形成し、ドレスの内部にて本体の足部の切込線に補助部材の切込線を差し込んだ状態で畳むことによって人形全体を平状にする一方、本体の足部に対して補助部材を交差状に展開することによって人形を自立可能にしたことを特徴とする。
【０００９】
また、本考案の請求項２のプリンセス立体形状は、請求項１において、人形の足部の両側と補助部材の両側を外側に膨れた湾曲状に形成すると共に、可撓性の素材で形成したドレスの上部を人形の腹部の周りで絞り込んだことによってドレスの周囲にひだ状の凹凸を形成し、このひだ状の凹凸が本体の足部と補助部材の湾曲状の外側部を係止することによって、これらの本体の足部と補助部材との交差状の展開形状を保持するようにしたことを特徴とする。
【考案の効果】
【００１０】
本考案のプリンセス立体カードは、上記のように構成されているため、人形が身に着けたドレスの内部にて本体の足部の切込線に補助部材の切込線を差し込んだ状態で平状に畳む一方、本体の足部に対して補助部材を交差した状態に展開することによって人形を自立した状態にすることが可能となる。
【００１１】
従って、このプリンセス立体カードをグリーティングカード等に添えて贈呈する際、プリンセス立体カードを平状に畳んで封筒等のように平状な隙間に収納することが可能となる。また、このプリンセス立体カードを封筒から取り出して、ドレス内の本体と補助部材を交差状に展開することによって人形を自立した状態に設置することが可能となる。
【００１２】
また、本考案において、人形の足部の両側と補助部材の両側を外側に膨れた湾曲状に形成すると共に、可撓性の素材で形成したドレスの上部を人形の腹部の周りで絞り込んだことにより、ドレスを膨らませた形状にすると共に、ドレスの周囲にできたひだ状の凹凸で本体の足部と補助部材の湾曲状の外側部を係止することができる。従って、足部と補助部材の切込線を差し込んだだけでは不安定な交差状の展開形状をドレスのひだ状の凹凸で押さえることによって安定した状態で人形を自立した状態に保持することが可能となる。
【図面の簡単な説明】
【００１３】
【図１】本考案による実施例のプリンセス立体カードの全体斜視図である。
【図２】本考案による実施例のプリンセス立体カードの内部構成に関する分解図であり、（ａ）は本体の平面図、（ｂ）は補助部材の平面図である。
【図３】（ａ）は本考案による実施例のプリンセス立体カードの内部構成を組み立てた状態を示す斜視図であり、（ｂ）は下面図である。
【図４】本考案による実施例のプリンセス立体カードを封筒等の袋に収納した状態を示す平面図である。
【図５】（ａ）は本考案による実施例のプリンセス立体カードに添える装飾品の展開図であり、（ｂ）は組立後の斜視図である。
【考案を実施するための形態】
【００１４】
以下、本考案の実施例について図面を参照しながら説明する。
【実施例】
【００１５】
本考案による実施例のプリンセス立体カード１は、図１又は図２に示すように、ドレス２を身に着けた形状の人形３を平状に畳んだ状態から自立可能な立体形状にしたものである。
【００１６】
このような本実施例のプリンセス立体カード１について詳細に述べる。図２（ａ）及び（ｂ）に示すように、本実施例のプリンセス立体カード１は、人形３の身体部３ａから足部３ｂに至る平板な形状を足部３ｂの下辺４ｂに向けて広がるように形成した本体４と、この本体４を自立可能に補助する補助部材５と、人形３の腹部３ｃから下方全体を包むドレス２（図１参照）とから構成されている。
【００１７】
上記の本体４は、厚紙や合成樹脂等による板部材によって形成された人形３の身体部３ａから足部３ｂに至る平板な本体４の外形を足部３ｂの下辺４ｂに向けて広がるように形成した形状としている。このような構成において、本体４の下辺４ｂは直線状に形成してあるが、他の形状として不図示の曲線等を使用した形状であっても、立たせたときに安定した状態となる形状であればよい。
【００１８】
また、本体４には、足部３ｂの下辺４ｂの中央から上方の途中に至る切込線４ａが形成されている。この切込線４ａの切込み幅は、後述する補助部材５を構成する板厚と略同等のものとし、この本体４の切込線４ａに補助部材５の切込線５ａを差し込んだとき、容易に抜け出ないようにする。
【００１９】
一方、補助部材５の全体形状は上部から下辺５ｂに向けて広がるように形成してあり、この補助部材５の上部中央には、上記の本体４の切込線４ａとクロスした状態で差し込み可能な切込線５ａが形成されている。
【００２０】
このような構成により、図３（ａ）（ｂ）に示すように、本体４の切込線４ａに補助部材５の切込線５ａを差し込んだ状態にして、本体４の足部３ｂに対して補助部材５をクロスさせた交差状に展開することで、立体的な人形３を自立させた状態にすることが可能となる。
【００２１】
また、本実施例では、図１に示すように、上記のように構成された人形３をプリンセスの容姿を有する形状に形成してあり、本体４の腹部３ｃから下方の足部３ｂ全体を包むような膨みのあるドレス２で包囲するようにしている。このドレス２は、布や微細なメッシュ状の可撓性を有する繊維で円筒状に形成してあり、裾２ａにはドレス２の意匠にふさわしいフリル等の装飾を施している。また、ドレス２の上部を折り返して紐通し口８を形成し、この紐通し口８からリボン９を通した構成としている。
【００２２】
このような構成により、図１に示すように、ドレス２を人形３の腹部３ｃから本体４の足部３ｂと補助部材５を覆うように身につけさせ、リボン９の両端を引き込んで結ぶことにより、ドレス２の上部を絞り込んだ状態にして、本体４の腹部３ｃで係止させる。
【００２３】
上記の構成により、ドレス２を身に着けたプリンセスの容姿を有する人形３が形成されるが、その容姿はプリンセスの容姿に限定されることなく、他の容姿やキャラクター等による人形でもよい。
【００２４】
また、本実施例において、図２（ａ）（ｂ）に示すように、人形３の足部３ｂの両側３ｄ、３ｄと補助部材５の両側５ｃ、５ｃを外側に膨れた湾曲状に形成すると、可撓性の素材で形成したドレス２の上部を人形３の腹部３ｃの周りで絞り込んだことによって、膨らんだ形状のドレス２の周囲にひだ状の凹凸６が形成される。
【００２５】
このドレス２のひだ状の凹凸６で足部３ｂの湾曲状の両側３ｄ、３ｄと補助部材５の湾曲状の両側５ｃ、５ｃを係止することができるため、本体４の足部３ｂと補助部材５との交差状の展開形状をドレス２のひだ状の凹凸６で押さえることによって、ドレス２を膨らませた形状にすると共に、人形３の自立状態を安定した状態に保持することが可能となる。
【００２６】
また、図４に示すように、上記のプリンセス立体カード１を平状に畳んで、グリーティングカードを入れる封筒７に添えて透明のビニール袋１０等に収納することにより、畳んだ状態のプリンセス立体カード１を外方から見えるように展示することも可能である。また、プリンセス立体カード１を畳んだ状態で封筒７に収納して贈ることも可能であり、プリンセス立体カード１を封筒７やビニール袋１０から取り出して、ドレス２内の本体４と補助部材５を交差状に展開することにより、図１に示すように、人形３を自立した状態に設置することも可能である。
【００２７】
なお、図５（ａ）（ｂ）に示す物品は、本実施例のプリンセス立体カード１に添えて使用する装飾品１１である。この装飾品１１は、希望する外形に形成した厚紙等による展開形状を折曲げ線１１ａで折り曲げ、端部の固定片１１ｂで接着することによって立体形状に形成することが可能である。
【００２８】
また、装飾品１１を折り畳むことによって、図４に示すように、上記のプリンセス立体カード１と共にビニール袋１０等に収納することができ、プリンセス立体カード１の意匠性をより効果的にすることが可能となる。
【産業上の利用可能性】
【００２９】
本考案のプリンセス立体カードは、グリーティングカードやその他のプレゼント用或いは装飾用として使用することができ、プリンセスの形状の人形を平状に畳んだ状態から自立した立体形状にすることが可能であり、しかもその人形の身に着けているドレスが実物のドレスのように膨らんだ立体形状となるようにしたプリンセス立体カードとして利用可能である。
【符号の説明】
【００３０】
１  プリンセス立体カード
２  ドレス
２ａ  裾
３  人形
３ａ  身体部
３ｂ  足部
３ｃ  腹部
３ｄ  両側部
４  本体
４ａ  切込線
４ｂ  下辺
５  補助部材
５ａ  切込線
５ｂ  下辺
５ｃ  両側部
６  ひだ状の凹凸
７  封筒
８  紐通し口
９  リボン
１０  ビニール袋
１１  装飾品
１１ａ  折曲げ線
１１ｂ  固定片
【図１】
0003198863.tif 000003
【図２】
0003198863.tif 000004
【図３】
0003198863.tif 000005
【図４】
0003198863.tif 000006
【図５】
0003198863.tif 000007
【手続補正書】
【提出日】平成27年4月22日(2015.4.22)
【手続補正１】
【補正対象書類名】実用新案登録請求の範囲
【補正対象項目名】請求項２
【補正方法】変更
【補正の内容】
【請求項２】
人形の足部の両側と補助部材の両側を外側に膨れた湾曲状に形成すると共に、可撓性の素材で形成したドレスの上部を人形の腹部の周りで絞り込んだことによってドレスの周囲にひだ状の凹凸を形成し、このひだ状の凹凸が本体の足部と補助部材の湾曲状の外側部を係止することによって、これらの本体の足部と補助部材との交差状の展開形状を保持するようにしたことを特徴とする請求項１記載のプリンセス立体カード。